(57)【要約】【課題】  穀粒と枝梗付穀粒との分離を促進し選別精度を高めた脱穀装置を提供する。【解決手段】  扱室（２）内に前後方向の軸回りに回転する扱胴（９）を軸架し、前記扱室（２）の下方には、前後方向に揺動する揺動選別棚（２６）を配置し、該揺動選別棚（２６）の上部には、扱室（２）の前側部から落下する脱穀処理物を受ける前側移送棚（３２）と、扱胴（９）の前後方向中間部での脱穀処理物を受ける後側移送棚（３３）と、シーブ（３４）と、ストローラック（３５）を前側から後側に向かってこの順に配置すると共に、揺動選別棚（２６）の下部には選別網（３６）を配置し、揺動選別棚（２６）の下方には、唐箕（２７）と、一番横移送螺旋（５２）付の一番穀粒受け樋（５１）と、二番横移送螺旋（５４）付の二番穀粒受け樋（５３）を前側から後側に向ってこの順で配置した脱穀装置とする。【選択図】図２
2016119854.tif 000002
【特許請求の範囲】
【請求項１】
扱室（２）内に前後方向の軸回りに回転する扱胴（９）を軸架し、前記扱室（２）の下方には、前後方向に揺動する揺動選別棚（２６）を配置し、該揺動選別棚（２６）の上部には、扱室（２）の前側部から落下する脱穀処理物を受ける前側移送棚（３２）と、扱胴（９）の前後方向中間部での脱穀処理物を受ける後側移送棚（３３）と、シーブ（３４）と、ストローラック（３５）を前側から後側に向かってこの順に配置すると共に、揺動選別棚（２６）の下部には選別網（３６）を配置し、揺動選別棚（２６）の下方には、唐箕（２７）と、一番横移送螺旋（５２）付の一番穀粒受け樋（５１）と、二番横移送螺旋（５４）付の二番穀粒受け樋（５３）を前側から後側に向ってこの順で配置した脱穀装置。
【請求項２】
前記前側移送棚（３２）の後側終端部よりも後側移送棚（３３）の後側終端部が後側に位置するように配置した請求項１に記載の脱穀装置。
【請求項３】
前記前側移送棚（３３）及び後側移送棚（３４）に穀粒を後方へ移送するための移送凸部を形成し、前側移送棚（３３）の移送凸部を、後側移送棚（３４）の移送凸部よりも低く形成した請求項１または請求項２に記載の脱穀装置。
【請求項４】
前記前側移送棚（３２）の後側端部に対向するように前側シーブ（５７）の前側端部を配置し、前側シーブ（５７）の後側端部を前記シーブ（３４）の前側端部に臨ませた請求項１から請求項３のいずれか一項に記載の脱穀装置。
【発明の詳細な説明】
【技術分野】
【０００１】
この発明は、脱穀装置に関するものである。
【背景技術】
【０００２】
扱室内に前後方向の軸回りに回転する扱胴を軸架し、扱室の下方には選別室を配置し、選別室内には前後方向に沿うように揺動選別棚を配置し、該揺動選別棚の上側部には前側から後側に亘り穀粒流下空間、第１シーブ,第２シーブ、ストローラックを順次配置すると共に下側部には選別網を配置し、揺動選別棚の下方には前側から後側に亘り唐箕,一番横移送螺旋付の一番穀粒受け樋,二番横移送螺旋付の二番穀粒受け樋を順次配置した脱穀装置が知られている（特許文献１）。
【先行技術文献】
【特許文献】
【０００３】
【特許文献１】特開２０１３−３１３８２号公報
【発明の概要】
【発明が解決しようとする課題】
【０００４】
前記特許文献１に記載の脱穀装置は、扱胴の前側部及び前後方向中間部での脱穀処理物が穀粒流下空間から共に流下し選別網の前側部に供給される構成であり、扱胴の前側部での枝梗付穀粒の少ない穀粒と扱胴の前後方向中間部での枝梗付穀粒の多い脱穀処理物が合流して選別網の前側部に流下し選別されることとなり、穀粒と枝梗付穀粒が混じった状態で一番穀粒受け樋に選別されるという問題点が発生する。
【０００５】
本発明は、枝梗付穀粒の少ない脱穀処理物と枝梗付穀粒の多い脱穀処理物を選別網の前後に分散して供給することにより、このような問題点を解決し選別精度を高めようとするものである。
【課題を解決するための手段】
【０００６】
この発明は、前記課題を解決するために、次のような技術的手段を講じた。
【０００７】
請求項１に係る発明は、扱室（２）内に前後方向の軸回りに回転する扱胴（９）を軸架し、前記扱室（２）の下方には、前後方向に揺動する揺動選別棚（２６）を配置し、該揺動選別棚（２６）の上部には、扱室（２）の前側部から落下する脱穀処理物を受ける前側移送棚（３２）と、扱胴（９）の前後方向中間部での脱穀処理物を受ける後側移送棚（３３）と、シーブ（３４）と、ストローラック（３５）を前側から後側に向かってこの順に配置すると共に、揺動選別棚（２６）の下部には選別網（３６）を配置し、揺動選別棚（２６）の下方には、唐箕（２７）と、一番横移送螺旋（５２）付の一番穀粒受け樋（５１）と、二番横移送螺旋（５４）付の二番穀粒受け樋（５３）を前側から後側に向ってこの順で配置した脱穀装置とする。
【０００８】
請求項２に係る発明は、前記前側移送棚（３２）の後側終端部よりも後側移送棚（３３）の後側終端部が後側に位置するように配置した請求項１に記載の脱穀装置とする。
【０００９】
請求項３に係る発明は、前記前側移送棚（３３）及び後側移送棚（３４）に穀粒を後方へ移送するための移送凸部を形成し、前側移送棚（３３）の移送凸部を、後側移送棚（３４）の移送凸部よりも低く形成した請求項１または請求項２に記載の脱穀装置とする。
【００１０】
請求項４に係る発明は、前記前側移送棚（３２）の後側端部に対向するように前側シーブ（５７）の前側端部を配置し、前側シーブ（５７）の後側端部を前記シーブ（３４）の前側端部に臨ませた請求項１から請求項３のいずれか一項に記載の脱穀装置とする。
【発明の効果】
【００１１】
請求項１記載の発明によると、扱胴（９）の前側部で脱穀処理された藁屑類の少ない脱穀処理物は前側移送棚（３２）に流下し選別網（３６）の前側部に供給され、扱胴（９９の前後方向中間部で脱穀処理された枝梗付穀粒の多い脱穀処理物は後側移送棚（３３）に流下し選別網（３６）の後側部に供給されるので、被選別物を前後に分散供給して選別網（３６）上での被選別物の層厚を薄くすることができ、穀粒と枝梗付穀粒の分離を促進し選別精度を高めることができる。
【００１２】
請求項２記載の発明によると、請求項１記載の発明による効果に加えて、扱室（２）の前側部で脱穀処理された藁屑類の少ない脱穀処理物は前側移送棚（３２）に流下し選別網（３６）の前側部に供給され、扱室（２）の前後方向中間部で脱穀処理された藁屑類の多い脱穀処理物は後側移送棚（３３）に流下し選別網（３６）の後側部に供給され、選別網（３６）の前後への分散供給をより確実化し、穀粒と枝梗付穀粒の分離性能を促進することができる。
【００１３】
請求項３の発明によると、請求項１または請求項２記載の発明による効果に加えて、前側移送棚（３３）の藁屑類の少ない脱穀処理物は低い移送凸部で移送され選別網（３６）の前側部に供給されて選別され、後側移送棚（３３）の藁屑類の多い脱穀処理物は高い移送凸部で藁屑類を高く揺り上げながら移送選別し、藁屑類の後側のシーブ（３４）への引き継ぎ量を多くしつつ穀粒を選別網（３６）の後側部に供給し、穀粒と枝梗付穀粒の分離性能をより促進することができる。
【００１４】
請求項４の発明によると、請求項１から請求項３のいずれか一項に記載の発明による効果に加えて、前側移送棚（３２）に流下した藁屑類の少ない脱穀処理物中の穀粒は選別網（３６）の前側部に供給されて選別され、残部の藁屑類や枝梗付穀粒は前側シーブ（５７）及びシーブ（３４）に引き継がれて選別され選別網（３６）の後側寄りに落下し、穀粒と藁屑類,枝梗付穀粒との分離性能をより一層促進することができる。
【図面の簡単な説明】
【００１５】
【図１】コンバインの一部省略した平面図。
【図２】脱穀装置の切断側面図。
【図３】移送棚の切断側面図。
【図４】脱穀装置の切断正面図、一番穀粒受け樋の平面図。
【図５】脱穀装置の切断側面図。
【図６】脱穀装置の切断側面図。
【図７】脱穀装置の切断側面図。
【図８】一番穀粒受け樋の平面図。
【図９】脱穀装置の切断側面図。
【図１０】移送棚の切断側面図。
【図１１】脱穀装置の切断側面図、一番穀粒受け樋の平面図。
【図１２】脱穀装置の切断側面図。
【図１３】脱穀装置の切断側面図。
【図１４】脱穀装置の切断側面図。
【図１５】脱穀装置の切断側面図、一番穀粒受け樋の平面図。
【図１６】脱穀装置の切断側面図、穀粒貯留装置の切断側面図。
【発明を実施するための形態】
【００１６】
この発明の実施の形態をコンバインに搭載される脱穀装置に基づき説明する。
（全体レイアウト）
図１に示すように、コンバインは、操縦部１１の座席の下側にエンジン１２を搭載し、機体の前側部に刈取装置１３を備え、機体の後側部には、脱穀装置１と穀粒貯留装置１４を左右に併設して配置する。前記脱穀装置１には、図２に示すように、上部に扱室２と、この扱室２の側方に配置される二番処理室４と、この二番処理室４の後方に配置される排塵処理室３を備え、下部には選別室５を備えている。
（扱室）
図２に示すように、上記扱室２は、前側壁６と後側壁７の間に多数の扱歯８を備えた扱胴９を軸架し、左側の外側壁には前後方向に沿って扱口を開口している。
【００１７】
扱室２の扱胴９の下部外周には扱網１０を張設している。この扱口の左側部位には、脱穀穀稈を扱口から扱室２内へ挿入した状態で後方へ搬送するフィードチェン９ａを配置している。
【００１８】
また、扱室２の後側壁７の後方には、フィードチェン９ａの終端部から脱穀後の排藁を引き継いで後方へ搬送する排藁搬送装置１５を設けている。この排藁搬送装置１５は、排出藁の穂先側を係止搬送するラグ式の穂先搬送装置と、排出藁の株元側を挟持搬送するチェン式の株元搬送装置を平面視で平行状に構成し、後側壁７に連結した支持フレームで支持している。この排出藁搬送装置１５の終端部を脱穀装置１の後側に設けている排出藁切断装置１５ａの上方に臨ませている。また、排出藁搬送装置１５の下側には、横断流ファン式の排塵ファン１６を設けている。
〈排塵処理室〉
図２に示すように、扱室２の右側後方部位に配置している排塵処理室３には排塵処理胴１７を軸架し、この排塵処理室３の前端部左側部位を、前記扱室２の後端部右側部位の連通口１８を介して連通している。
【００１９】
排塵処理室３内に排塵処理胴１７を架設する排塵処理胴軸は、後述する二番処理胴を軸架する二番処理軸と同一軸心状に前後方向に沿わせて配置している。
【００２０】
この排塵処理胴１７の連通口１８に臨む部位には、被処理物取り込み用の取込螺旋２０を巻き付け、排塵処理胴１７における連通口１８よりも後側の部位には、前記取込螺旋２０よりもピッチの小さい処理歯２１を螺旋状に巻き掛けている。前記排塵処理室３の排塵処理胴１７の下部外周には網状または格子状の濾過部材２２を配置している。
（二番処理室）
図２に示すように、前記排塵処理室３の前側には二番処理室４を配置し、二番処理室４には二番処理胴軸を介して二番処理胴２３を軸架し、二番処理胴２３には多数の処理歯２４を設け、二番処理室４の二番処理胴２３の下部外周に沿って多数の濾過孔を有する目抜き鉄板で形成した受け樋２５を設けている。
（選別室）
図２に示すように、前記選別室５の上部には、前後方向および上下方向に往復揺動しながら脱穀処理物を選別する揺動選別棚２６を設け、揺動選別棚２６の下側には前側から後側に亘り唐箕２７と、一番横移送螺旋５２付の一番穀粒受け樋５１と、二番横移送螺旋５４付の二番穀粒受け樋５３を順次配置し、唐箕２７から後方に向けて選別風が流れて脱穀処理物を選別し、藁屑類を脱穀装置１の後部開口部から排出する。
【００２１】
前記一番横移送螺旋５２の終端側に螺旋式の第１縦移送装置３８の基部側を接続し、先端側を前記穀粒貯留装置１４の上部内側面に形成した投入口に接続している。
【００２２】
また、前記二番横移送螺旋５４の終端側に第２縦移送装置３９の基部側を接続し、終端側を前記二番処理室４の後側部に接続している。
【００２３】
前記揺動選別棚２６には、前後方向に沿った所定間隔の波板状移送凸部付の前側移送棚３２と、後側移送棚３３と、シーブ３４と、ストローラック３５を前側から後側に亘り順次配置している。前記排塵ファン１６は、ストローラック３５の上方に配置されていて、ストローラック３５の小さな藁屑類を吸引排出する。
【００２４】
前記シーブ３４を、前側部の第１シーブ３４ａと後側の第２シーブ３４ｂとで構成し、第１シーブ３４ａの処理物漏下用の間隙を第２シーブ３４の処理物漏下用の間隙よりも狭く設定している。
【００２５】
前側移送棚３２を扱胴９の前側部下方に配置し、後側移送棚３３を扱胴９の前後方向中間部の下方部位に配置し、後側移送棚３３の前側端部を前側移送棚３２の中途部上方に配置し、後側移送棚３３の後側端部をシーブ３４の前側端部に臨ませている。
【００２６】
前記前側移送棚３２,後側移送棚３３,シーブ３４,ストローラック３５の下方には選別網３６を配置している。選別網３６の前側部には後側下り傾斜の前側流下板を備え、選別網３６の後側部には後側移送板を備えている。
【００２７】
そして、前側流下板の上側には前側移送棚３２,後側移送棚３３、第１シーブ３４ａを配置し，下側には唐箕２７を配置している。第１シーブ３４ａ,第２シーブ３４ａの下方には選別網３６の網部,一番穀粒受け樋５１を配置し、第２シーブ３４ｂ及びストローラック３５の下方に二番穀粒受け樋５３を配置している。
【００２８】
前記構成によると、扱胴９の前側部で脱穀処理された藁屑類の少ない脱穀処理物は前側移送棚３２に流下し選別網３６の前側部に供給されて風選される。また、扱胴９の前後方向中間部で脱穀処理された枝梗付穀粒の多い脱穀処理物は後側移送棚３３に流下し選別網３６の前後方向中間に供給されて風選される。従って、穀粒と枝梗付穀粒が選別網３６の前後に分散して選別され、穀粒と枝梗付穀粒の分離が促進され選別精度を高めることができる。
【００２９】
また、前側移送棚３２の後端部よりも後側移送棚３３の後端部を後方に位置するようにし、下方の選別網３６への落下位置を前後にずらすように構成し、前側移送棚３２の藁屑類の少ない脱穀処理物は選別網３６の前側部を流下し風選別され、後側移送棚３３の藁屑類の多い脱穀処理物は選別網３６の後側部に流下し風選され、穀粒と枝梗付穀粒との分離を促進することができる。
【００３０】
また、図３に示すように、前側移送棚３２の移送凸部を低く、後側移送棚３３の移送凸部を高く構成している。
【００３１】
前記構成によると、前側移送棚３２の藁屑類の少ない脱穀処理物は低い移送凸部で移送され選別網３６の前側部に供給されて風選され、後側移送棚３４の藁屑類の多い脱穀処理物中の藁屑類は高い移送凸部により高く揺り上げられ穀粒との分離を促進し、藁屑類は後続のシーブ３４に引き継がれ、穀粒は選別網３６の後側部に供給され風選され、穀粒と枝梗付穀粒,藁屑類の分離をより促進することができる。
【００３２】
次に、図４について説明する。
【００３３】
一番穀粒受け樋５１の一番横移送螺旋５２の終端側部上方に近接して横断面逆Ｖ字状の閉鎖板６２を架設している。
【００３４】
前記構成によると、前側移送棚３２で移送される脱穀処理物には藁屑類が少ないものの枝梗粒が多く含まれているが、一番穀粒受け樋５１の枝梗付穀粒は逆Ｖ字型の閉鎖板６２に押圧されながら第１横移送螺旋５２によりこなされ精粒化され、精粒回収率を高めることができる。
【００３５】
次に、図５について説明する。
【００３６】
後側移送棚３３の下方には前側シーブ５７を設け、前側シーブ５７の前端を前側移送棚３２の後側端部の近傍に臨ませ、前側シーブ５７の後端と後側移送棚３３の後端を揃えてシーブ３４の前端部に臨ませている。
【００３７】
前記構成によると、前側移送棚３２で移送された枝梗付穀粒は前側シーブ５７を経由してシーブ３４に引き継がれ、穀粒と枝梗付穀粒との分離を促進し選別性能を高めることができる。
【００３８】
次に、図６について説明する。
【００３９】
扱室２の扱網１０前側部の目合いを精粒のみ漏下し枝梗付穀粒は漏下しないように小さくし、後側部の目合いを枝梗付穀粒が漏下するように前側部と比較して大きく構成している。
【００４０】
前記構成によると、目合いの小さな扱網１０の前側部から漏下した穀粒は前側移送棚３２で受けられて選別網３６の前側部に供給選別され、扱室２の前後方向中間の枝梗付穀粒の多い脱穀処理物は後側移送棚３３に受けられて選別網３６の後側部に供給されて選別され、穀粒と枝梗付穀粒の前後分散を促進し選別精度を高めることができる。
【００４１】
次に、図７について説明する。
【００４２】
前記揺動選別棚２６において、前側シーブ５７の濾過間隙を小さく、後側のシーブ３４の濾過間隙を大きく構成している。
【００４３】
前記構成によると、前側移送棚３２の枝梗付穀粒の少ない脱穀処理物中の穀粒は流下し選別網３６の前側部で選別され、残りの枝梗付穀粒は前側移送棚３２の後側端部から前側シーブ５７に引き継がれる。次いで、前側シーブ５７の小さな枝梗付穀粒は落下選別し、大きな枝梗付穀粒は後側に移送されシーブ３４に引き継がれ、選別網３６の後側部に落下し選別される。従って、穀粒と枝梗付穀粒との分離選別をより促進し選別精度を高めることができる。
【００４４】
また、選別網３６の前側部の目合いを小さくし、選別網３６の中途部から後側の目合いを大きく構成すると、前側移送棚３２を移送された枝梗付穀粒の少ない脱穀処理物中の穀粒は選別網３６の小さな目合いで漏下選別され、枝梗付穀粒の落下を抑制できる。また、後側移送棚３３の枝梗付穀粒の多い脱穀処理物は選別網３６の中途部から後側の大きいな目合いで選別され、穀粒と枝梗付穀粒との分離を促進しつつ、穀粒の回収率を高めることができる。
【００４５】
次に、図８について説明する。
【００４６】
一番穀粒受け樋５１の一番螺旋移送装置５２を螺旋軸と螺旋翼とで構成し、螺旋軸には所定間隔毎に螺旋軸と垂直な姿勢で撹拌棒６１を突設し、一番穀粒受け樋５１の底板には小さな孔（穀粒は通過せず枝梗等の小さな藁屑が通過する）を多数設けている。
【００４７】
前記構成によると、一番螺旋移送装置５２で移送中の枝梗付穀粒は撹拌棒６１でこなされながら後方へ放出され、選別風で後方に吹き飛ばされ二番穀粒受け樋５３に選別することができる。また、一番螺旋移送装置５２でこなされた枝梗等の藁屑を底板の小さな孔から排出し、回収される穀粒に混入する藁屑を少なくすることができる。
【００４８】
次に、図９に基づき他の実施例について説明する。
【００４９】
前記選別室５には、前後方向および上下方向に往復揺動しながら被処理物を揺動選別する揺動選別棚２６を設けている。揺動選別棚２６の下側には、揺動選別棚２６の前部から漏下する処理物が第１唐箕２７からの選別風で選別された後に流下する第１横移送螺旋２８と、選別風を後側上方へ向けて送風する第２唐箕２９と、揺動選別棚２６の前側部から漏下する処理物が風選された後に流下する第２横移送螺旋装置３０と、選別風を後側上方へ向けて送風する第３唐箕３７と、揺動選別棚２６の後部から漏下する処理物が流下する第３横移送螺旋３１とを、前側から後側に亘り順次配置している。
【００５０】
前記揺動選別棚２６は、波板状の前側移送棚３２と、波板状の後側移送棚３３と、左右方向の多数の板体を前後方向に所定間隔毎に配置構成しているシーブ３４と、ストローラック３５を備えている。前記排塵ファン１６はストローラック３５の上方に配置されている。
【００５１】
後側移送棚３３,シーブ３４の下方に亘り穀粒と藁屑類を分離する選別網３６を配置している。該選別網３６の前側部には前側流下板を、後側部には後側選別板を備えている。
【００５２】
以上の構成により、扱室２の前部で脱穀されて揺動選別棚２６の前部から漏れ落ちる穀粒を主体とした処理物は前側移送棚３２を経て選別網３６の前側部に流下し、第１唐箕２７からの選別風で選別されて第１横移送螺旋２８に流下し、精粒の回収率を向上させることができる。
【００５３】
また、扱室２の後側部で脱穀されて揺動選別棚２６の後側部から漏れ落ちる処理物は後側移送棚３３を経て選別網３６の後側部に流下し、第２唐箕２９からの選別風で選別されて第２横移送螺旋装置３０に流下し、この処理物に混在する穀粒を回収することができる。
【００５４】
前記前側移送棚３２の後部上方に後側移送棚３３を配置し、扱胴９の前側部での脱穀処理物は前側移送棚３２に流下し、扱胴９の中間部での脱穀処理物は後側移送棚３３に流下し選別網３６の後側部に供給し、被選別物を前後に分散供給し風選し、穀粒と枝梗付穀粒と分離を促進し選別性能を高めるようにしている。
【００５５】
また、図１０に示すように、前側移送棚３２の移送凸部を低くし、後側移送棚３３の移送凸部を高く構成し、前側移送棚３２に流下した枝梗付穀粒の少ない脱穀処理物を選別網３６の前側部に供給し、後側移送棚３３に流下した枝梗付穀粒の多い脱穀処理物中の藁屑類を穀粒と分離して後側のシーブ３４に引き継ぎつつ、穀粒を選別網３６の後側部に供給し、穀粒と枝梗付穀粒の分離をより促進し選別精度を高めている。
【００５６】
次に、図１１について説明する。
【００５７】
第１横移送螺旋２８の移送終端側上方に横断面逆Ｖ字型の閉鎖板５５を配置している。第１横移送螺旋２８の終端側の閉鎖板５５の部分で枝梗付穀粒がこなされて精粒となり、穀粒の回収率を高めることができる。
【００５８】
次に図１２について説明する。
【００５９】
前側移送棚３２と後側移送棚３３とを前後にずらして配置し、前側移送棚３２の後側端部に臨ませて前側シーブ５７の前側端部を配置し、前側シーブ５７の濾過間隙を後側のシーブ３４の濾過間隙よりも狭く構成している。
【００６０】
前記構成によると、前側移送棚３２から引き継がれた藁屑類を前側シーブ５７で後側に移送選別しその一部を選別網３６の後側部に漏下供給して選別し、残部を後側のシーブ３４に引き継ぎ、穀粒と枝梗付穀粒との前後分離を促進し、選別精度を高めることができる。
【００６１】
次に、図１３について説明する。
【００６２】
前記脱穀選別装置において、扱室２の扱網１０の目合いを扱胴９の前側部では精粒が漏下するくらいの小さな目合いとし、後側の目合いよりも大きく構成している。
【００６３】
前記構成によると、前側移送棚３２には穀粒が漏下し選別網３６の前側部に供給され風選され、後側移送棚３３に落下した枝梗付穀粒の多い脱穀処理物は選別網３６の後側部に供給され選別され、穀粒と枝梗付穀粒との分離を促進することができる。
【００６４】
また、前側シーブ５７の濾過間隙を後側のシーブ３４の濾過間隙よりも狭く構成し、前側シーブ５７で枝梗付穀粒を選別し、その一部を選別網３６の後側に供給し、残部をシーブ３４に引き継ぐことにより、穀粒と枝梗付穀粒との分離を促進することができる。
【００６５】
次に、図１４について説明する。
【００６６】
前記脱穀選別装置において、選別網３６の前側部の目合いを小さくし、後側部の目合いをこれよりも大きく構成し、選別網３６の前側部の小さな目合いで精粒を濾過して枝梗付穀粒の濾過を抑制して後方に送り、穀粒と枝梗付穀粒の分離を促進するようにしている。
【００６７】
次に、図１５について説明する。
【００６８】
第２横移送螺旋３０の横螺旋軸には所定間隔毎に撹拌棒６１を設け、横移送樋の底板には穀粒は漏下しないが小さな塵埃の漏下する小孔を無数に設けている。しかして、第２横移送螺旋３０で枝梗付穀粒を移送途中でこなしながら後方へ放出して後側の第３横移送螺旋３１に送り、穀粒と枝梗付穀粒の分離を促進している。また、移送樋の小さな孔から塵埃を排出し精粒をきれいにすることができる。
【００６９】
次に、図１６について説明する。
【００７０】
前記穀粒貯留装置１４の上部空間には撹拌選別装置６３を配置している。この撹拌選別装置６３には、選別樋６３ａと、選別軸６３ｂと、選別軸６３ｂに所定間隔毎に取り付けられている撹拌棒６３ｃを備えている。
【００７１】
第１縦移送装置３８で楊穀した穀粒は撹拌選別装置６３の始端部に供給され、枝梗付穀粒の脱粒を促進しつつ終端部から穀粒貯留装置１４に落下し貯留される。
【符号の説明】
【００７２】
１    脱穀装置
２    扱室
５    選別室
８    扱歯
９    扱胴
２６    揺動選別棚
２７    唐箕
３２    前側移送棚
３３    後側移送棚
３４    シーブ
３５    ストローラック
３６    選別網
５１    一番穀粒受け樋
５２    一番横移送螺旋
５３    二番穀粒受け樋
５４    二番横移送螺旋
５７    前側シーブ
６１    撹拌棒
６２    閉鎖板
【図１】
2016119854.tif 000003
【図２】
2016119854.tif 000004
【図３】
2016119854.tif 000005
【図４】
2016119854.tif 000006
【図５】
2016119854.tif 000007
【図６】
2016119854.tif 000008
【図７】
2016119854.tif 000009
【図８】
2016119854.tif 000010
【図９】
2016119854.tif 000011
【図１０】
2016119854.tif 000012
【図１１】
2016119854.tif 000013
【図１２】
2016119854.tif 000014
【図１３】
2016119854.tif 000015
【図１４】
2016119854.tif 000016
【図１５】
2016119854.tif 000017
【図１６】
2016119854.tif 000018